(57)【要約】【課題】容器内に充填材を投入することなく、異なる成分の内容液としての取り出しが可能な、新規な注出栓を提案する。【解決手段】本発明の注出栓は、容器30の内側に通じる注出筒1cを有し容器口部31に着脱可能な本体1と、本体1の上側に着脱可能に配置される蓋体2とを有する。容器30の内容液Cを通すことでその成分を変更可能な充填材5を有し、当該充填材5に内容液Cを導入するためのスリットSと、充填材5を通して注出筒1cに排出するための排出部とが形成されたケース4を備え、ケース4は、その内側に排出孔A1が形成された仕切壁4a3を有する筒状壁4a4を有し、当該筒状壁4a4には、本体1の裏側から注出筒1cに掛り止めされる係止突起4a5が設けられていると共に、仕切壁4a3よりも排出側には、注出筒1cとの間に形成した隙間gを通る内容液Cが導入される開口部A2が形成されている。【選択図】図１
2010173730.tif 000002
【特許請求の範囲】
【請求項１】
容器の内側に通じる注出筒を有し容器の口部に着脱可能な本体と、この本体の上側に着脱可能に配置される蓋体とを有する注出栓であって、
容器の内容液を通すことでその成分を変更可能な充填材を有し、当該充填材に内容液を導入するための導入部と、充填材を通して本体の注出筒に排出するための排出部とが形成されたケースを備え、
当該ケースは、その排出部に、本体の注出筒に掛り止めされる係止部を備えることを特徴とする、注出栓。
【請求項２】
請求項１において、前記排出部は、その内側に排出孔が形成された仕切壁を有する筒状壁であって、当該筒状壁に、本体の注出筒との間に形成した隙間を通る内容液が仕切壁よりも排出側に導入される開口部が形成されていることを特徴とする、注出栓。
【請求項３】
請求項１又は２において、前記ケースは、前記係止部を備えその下端に開口部が形成されたケース本体と、このケース本体の開口部を封止して当該ケース本体との間に充填材の配置空間を形成するシート材とからなることを特徴とする、注出栓。
【請求項４】
請求項１又は２において、前記ケースは、前記係止部を備えその下端に開口部が形成されたケース本体と、このケース本体の開口部と嵌合して当該ケース本体との間に充填材の配置空間を形成する中栓とからなることを特徴とする、注出栓。
【請求項５】
請求項４において、中栓は、ケース本体にヒンジを介して連結されたものであることを特徴とする、注出栓。
【請求項６】
請求項４又は５において、前記導入部が中栓に形成された開口部であることを特徴とする、注出栓。
【請求項７】
請求項３乃至６のいずれか１項において、前記導入部がケース本体の側壁に形成されたスリットであることを特徴とする、注出栓。
【発明の詳細な説明】
【技術分野】
【０００１】
本発明は、容器の口部に着脱可能であって、容器に充填された内容液を取り出すときに、成分の異なる内容液として取り出すことができる注出栓に関するものである。
【背景技術】
【０００２】
従来の注出栓には、本体に設けられた注出筒に、茶葉等を充填した収納筒を配置し、この収納筒を使用時に落下させることにより、内容液の成分を変更するものがある（例えば、特許文献１参照）。
【先行技術文献】
【特許文献】
【０００３】
【特許文献１】特開２００６−４４６９３号公報
【発明の概要】
【発明が解決しようとする課題】
【０００４】
しかしながら、従来の注出栓は、蓋体の抜取りによって収納筒が落下する構成であるため、内容液の成分変更を行おうとする場合、その決定を蓋体の抜取り前に行わなければならない。即ち、従来の注出栓には、使用者の意思によって内容液の成分変更を行うことについて改善の余地がある。
【０００５】
本発明の目的とするところは、容器内に充填材を投入することなく、異なる成分の内容液としての取り出しが可能な、新規な注出栓を提案することにある。
【課題を解決するための手段】
【０００６】
本発明は、容器の内側に通じる注出筒を有し容器の口部に着脱可能な本体と、この本体の上側に着脱可能に配置される蓋体とを有する注出栓であって、
容器の内容液を通すことでその成分を変更可能な充填材を有し、当該充填材に内容液を導入するための導入部と、充填材を通して本体の注出筒に排出するための排出部とが形成されたケースを備え、当該ケースは、その排出部に、本体の注出筒に掛り止めされる係止部を備えることを特徴とするものである。
【０００７】
本発明に係る、ケースは、本体の下端から注出筒に挿入して当該注出筒に掛り止めすることも、本体の上端側から注出筒に挿入することで当該注出筒に掛り止めすることもできる。前記排出部は、その内側に排出孔が形成された仕切壁を有する筒状壁とすることで、充填材を通った内容液のみを外界に注出させることは勿論、当該筒状壁に開口部を形成し、この開口部を通して、本体の注出筒との間に形成した隙間を通る内容液を仕切壁よりも排出側に導入させることも可能である。
【０００８】
前記ケースとしては、前記係止部を備えその下端に開口部が形成されたケース本体と、このケース本体の開口部を封止して当該ケース本体との間に充填材の配置空間を形成するシート材とからなるものが挙げられる。
【０００９】
また前記ケースとしては、前記係止部を備えその下端に開口部が形成されたケース本体と、このケース本体の開口部と嵌合して当該ケース本体との間に充填材の配置空間を形成する中栓とからなるものが挙げられる。
【００１０】
加えて、中栓は、ケース本体と別体のものとすることも、ヒンジを介して連結されたものとすることも可能である。この場合、中栓は、ヒンジを介して開閉可能な構成とすることも、ケース本体に対して固定する構成とすることも可能である。前記導入部は、中栓に形成された開口部とすることができる。
【００１１】
また、本発明に従えば、前記導入部をケース本体の側壁に形成したスリットとすることもできる。また、充填材は、茶葉に代表されるような、内容液に対して他の成分を付加するものだけでなく、ろ過等を目的とした多孔質材に代表されるような、内容液に含まれる成分の一部を除去するものも含み、内容液の成分を変更（変化）させるものであれば、様々なものを採用できる。
【発明の効果】
【００１２】
本発明によれば、内容液の導入及び排出が可能なケースに充填材を収納し、このケースの排出部を、本体の注出筒に掛り止めされるように構成したことから、充填材を容器内に投入することなく、異なる成分の内容液としての取り出しが可能になる。また、本発明によれば、充填材が蓋体の取り外しに連動して投入されないため、蓋体の取り外し後においても、使用者の意思によって成分の異なる内容液の取り出しが可能となる。
【００１３】
また、本発明では、充填材を容器内に投入しないので、前記排出部を、その内側に排出孔が形成された仕切壁を有する筒状壁とし、当該筒状壁に、本体の注出筒との間に形成した隙間を通る内容液が仕切壁よりも排出側に導入される開口部を形成すれば、成分の異なる内容液が混合された状態で本体の注出筒から取り出すことができる。
【００１４】
また、前記ケースを、前記係止部を備えその下端に開口部が形成されたケース本体と、このケース本体の開口部を封止して当該ケース本体との間に充填材の配置空間を形成するシート材とからなるものにできる。
【００１５】
或いは、前記ケースは、前記係止部を備えその下端に開口部が形成されたケース本体と、このケース本体の開口部と嵌合して当該ケース本体との間に充填材の配置空間を形成する中栓とからなるものにできる。
【００１６】
更に、前記ケースを中栓で構成する場合、当該中栓を、ケース本体にヒンジを介して開閉可能に連結されたものにできる。
【００１７】
また、前記ケースを中栓で構成する場合、前記導入部を中栓に形成された開口部とすれば、内容液を効果的に充填材に通すことができる。
【００１８】
前記導入部は、ケース本体の側壁に形成されたスリットにできる。
【図面の簡単な説明】
【００１９】
【図１】本発明である、注出栓の第１の形態を容器口部に装着した状態で模式的に示す要部断面図である。
【図２】(a),(b)はそれぞれ、同形態に係る、充填ケースの一部を模式的に示す平面図及び、同ケースを一部断面で模式的に示す側面図である。
【図３】本発明に従う、充填ケースの第２の形態を一部断面で模式的に示す側面図である。
【図４】本発明に従う、充填ケースの第３の形態を一部断面で模式的に示す側面図である。
【発明を実施するための形態】
【００２０】
以下、図面を参照して、本発明である注出栓を詳細に説明する。
【００２１】
図１にて、符号１は、飲料等の内容液Ｃを充填した容器３０の口部（以下、「容器口部」）３１に装着される本体である。
【００２２】
本体１は、容器口部３１に着脱可能に螺着される周壁１ａと、この周壁１ａの上端に繋がる天壁１ｂと、この天壁１ｂに繋がり容器３０の内側に通じる注出筒１ｃとを有する。注出筒１ｃの内周面には、軸線Ｏを取り囲むように環状に突出する係止段部１ｐが形成されている。
【００２３】
符号２は、本体１の上側に着脱可能に配置される蓋体である。蓋体２は、２つのヒンジ３を介して開閉可能に繋がる。また、蓋体２には、ヒンジ３の間に爪部２ａが一体に形成されている。爪部２ａは、蓋体２を開いたとき、周壁１ａの上端に形成された段差１ｓに引っ掛かることで取り外し可能に掛り止めされる。これにより、蓋体２は、本体１から開いたときも、本体１に対して安定した状態に固定される。
【００２４】
符号４は、本体１の裏側から取り付け可能な充填ケースである。充填ケース４は、その下端に開口部Ａが形成されたケース本体４ａと、このケース本体４ａの開口部Ａを封止して当該ケース本体４ａとの間に空間Ｒを形成するシート材４ｂとからなる。
【００２５】
ケース本体４ａは、その内側に開口部Ａを形成し、シート材４ｂが接着されるフランジ４ａ1と、このフランジ４ａ1の内側から軸線Ｏを取り囲むようにして起立する側壁４ａ2と、この側壁４ａ2の上端と仕切壁４ａ3を介して繋がり当該仕切壁４ａ3から起立する筒状壁４ａ4とを一体に有する。
【００２６】
ケース本体４ａの側壁４ａ2には、軸線Ｏの周りに複数のスリット（開口）Ｓが形成されている。スリットＳは、内容液Ｃを空間Ｒに導入するための導入部を構成する。また、仕切壁４ａ3には、複数の貫通孔Ａ1が形成されている。貫通孔Ａ1は、注出筒１ｃ内に内容液Ｃを排出するための排出部を構成する。
【００２７】
加えて、充填ケース４には、筒状壁４ａ4の外周面に、注出筒１ｃに設けた係止段部１ｐに引っ掛かることで取り外し可能に掛り止めされる係止突起４ａ5が一体に形成されている。これにより、本体の裏側から筒状壁４ａ4を注出筒１ｃ内に差し込むと、充填ケース４は本体１の裏側から垂下した状態で着脱可能に固定される。
【００２８】
更に、充填ケース４には、筒状壁４ａ4の外周面に、注出筒１ｃとの間に隙間ｇを形成する複数の縦リブ４ａ6が一体に形成されていると共に、仕切壁４ａ3よりも排出側には、２つの開口部Ａ2が形成されている。開口部Ａ2は、隙間ｇを通る内容液Ｃを仕切壁４ａ3よりも排出側に導入する。
【００２９】
これにより、本発明に従う注出栓を容器３０に装着した後、容器３０を傾けると、注出筒１ｃからは、スリットＳから空間Ｒを通って貫通孔Ａ1を取り出される内容液Ｃと、隙間ｇから開口部Ａ2を通って取り出される内容液Ｃとの混合液が内容液として取り出される。
【００３０】
符号５は、ケース本体４ａとシート材４ｂとの間に形成された空間Ｒに充填される充填材である。充填材５には、例えば、内容液Ｃに対して溶解可能な内容液Ｃと異なる成分が含まれている。これにより、内容液Ｃを充填材５に通せば、内容液Ｃの成分を変更させることができる。
【００３１】
即ち、本発明に従う注出栓を容器３０に装着した後、容器３０を傾けると、注出筒１ｃからは、充填材５によって成分変化した内容液Ｃと、容器３０に充填された内容液Ｃとの混合液が、最終的な内容液として取り出される。
【００３２】
図１に示す注出栓によれば、内容液Ｃの導入及び排出が可能な充填ケース４に充填材５を収納し、この充填ケース４の排出部である筒状壁４ａ4を、注出筒１ｃを有する本体１の裏側から当該注出筒１ｃに掛り止めさせるように構成したことから、充填材５を容器３０内に投入することなく、異なる成分の内容液Ｃとしての取り出しが可能になる。また、本形態によれば、充填材５が蓋体２の取り外しに連動して投入されないため、蓋体２の取り外し後においても、使用者の意思によって成分の異なる内容液Ｃの取り出しが可能となる。
【００３３】
また、本発明では、充填材５を容器３０内に投入しないので、本形態のように、充填ケース４の排出部を、その内側に排出孔Ａ1が形成された仕切壁４ａ3を有する筒状壁４ａ4とし、当該筒状壁４ａ4に、注出筒１ｃとの間に形成した隙間ｇを通る内容液Ｃが仕切壁４ａ3よりも排出側に導入される開口部Ａ2を形成すれば、成分の異なる内容液Ｃが混合された状態で注出筒１ｃから取り出すことができる。
【００３４】
また、本形態のように、充填ケース４を、係止突起４ａ5を備えその下端に開口部Ａが形成されたケース本体４ａと、このケース本体４ａの開口部Ａを封止して当該ケース本体４ａとの間に充填材５の配置空間Ｒを形成するシート材４ｂとからなるものにできる。
【００３５】
また、本発明に従えば、本形態のように、導入部をケース本体４ａの側壁４ａ2に形成されたスリットＳにできる。
【００３６】
また、本発明に係る、充填ケース４の他の形態としては、図３に示すものがある。本形態は、充填ケース４を形成するにあたり、中栓４ｃを採用している。このため、ケース本体４ａは、フランジ４ａ1に段差４ｓを設けると共に、中栓４ｃの外周面には、段差４ｓに引っ掛かることで取り外し可能に掛り止めされる環状突起４ｃ1が一体に形成されている。これにより、ケース本体４ａの開口部Ａに中栓４ｃを差し込むと、中栓４ｃはケース本体４ａに対して着脱可能に固定されることで、充填ケース４が形成される。
【００３７】
本形態のように、充填ケース４は、係止突起４ａ5を備えその下端に開口部Ａが形成されたケース本体４ａと、このケース本体４ａの開口部Ａと嵌合して当該ケース本体４ａとの間に充填材５の配置空間Ｒを形成する中栓４ｃとからなるものにできる。
【００３８】
また、本形態に係る、中栓４ｃには、複数の開口部Ａ3が形成されている。開口部Ａ3は、スリットＳと共に、内容液Ｃを空間Ｒに導入するための導入部を構成する。これにより、内容液Ｃを効果的に充填材５に通すことができる。
【００３９】
更に、本発明に係る、充填ケース４の他の形態としては、図４に示すものもある。本形態は、ケース本体４ａと中栓４ｃとをヒンジ４ｄを介して一体に連結したものである。本形態では、中栓４ｃに開口部Ａ3を形成することなく、スリットＳのみで内容液Ｃを導入している。但し、本発明に従えば、中栓４ｃに開口部Ａ3を形成することも可能である。
【００４０】
上述したところは、本発明の一形態を示したに過ぎず、特許請求の範囲内において、種々の変更を加えることができる。充填ケース４は、例えば、本形態に係るケース本体４ａのように、その側壁４ａ2が上端（注出）側に向かうに従って先細りになる形状とは反対に、その下端（容器３０内）側に向かうに従って先細りになる形状とすることで、注出筒１ｃの上端から挿入することで注出筒１ｃに掛り止めされる構成とすることもできる。また、各形態に採用された各構成はそれぞれ、互いに適宜組み合わせることができる。
【産業上の利用可能性】
【００４１】
本発明の注出栓は、飲料、薬剤、化粧料等を内容物とする容器に適用することができる。
【符号の説明】
【００４２】
１    本体
１ａ  周壁
１ｂ  天壁
１ｃ  注出筒
１ｐ  係止段部（係止部）
１ｓ  段部
２    蓋体
３    ヒンジ
４    充填ケース
４ａ  ケース本体
４ａ1 フランジ
４ａ2 側壁
４ａ3 仕切壁
４ａ4 筒状壁（排出部）
４ａ5 係止突起（係止部）
４ａ6 リブ
４ｂ  シート材
４ｃ  中栓
４ｄ  ヒンジ
５    充填材
Ａ    収納用開口部
Ａ1   貫通孔（導入部）
Ａ2   開口部（排出部）
Ａ3   開口部（導入部）
Ｓ    スリット（導入部）
【図１】
2010173730.tif 000003
【図２】
2010173730.tif 000004
【図３】
2010173730.tif 000005
【図４】
2010173730.tif 000006